(57)【要約】【課題】マグネットが軸回りに回転する際に、構造本体部の収容部の内壁面とマグネットの側面とが互いに接触する場合であっても、両面間に生じる摩擦面を低減させてマグネットの円滑な回転を確保する。【解決手段】複数が組み付けられて種々の平面形状あるいは立体形状の構造体を形成することができる組立玩具１００であって、本体部１０と本体部１０に収容された磁石部２０とを有し、磁石部２０は、Ｎ極とＳ極とが軸回りに交互に着磁された正八角柱形状に形成され、本体部１０に軸回りに回転可能に収容される。【選択図】図１
2016214533.tif 000002
【特許請求の範囲】
【請求項１】
複数が組み付けられて種々の平面形状あるいは立体形状の構造体を形成することができる組立玩具であって、
本体部と前記本体部に収容された磁石部とを有し、
前記磁石部は、Ｎ極とＳ極とが軸回りに交互に着磁された正八角柱形状に形成され、前記本体部に軸回りに回転可能に収容されることを特徴とする組立玩具。
【発明の詳細な説明】
【技術分野】
【０００１】
本発明は、複数が組み付けられることにより所望の平面形状あるいは立体形状の構造体を形成することができる組立玩具に関する。
【背景技術】
【０００２】
複数が組み付けられて所望の平面形状あるいは立体形状の構造体を形成することができる組立玩具の一つとして、非磁性の材料で形成され接続端が設けられた板状あるいは箱型形状の構造本体部（本体部）と、構造本体部の内部の接続端付近に収容され軸方向が接続端と略々平行に配設された円柱形のマグネット（磁石部）とを備え、マグネットは軸方向に対して直交する方向に相対して両磁極が着磁され、当該マグネットが構造本体部の内部の収容筒（収容部）に軸回りに回転可能に収容された磁力接続構造体（組立玩具）が知られている（特許文献１参照）。
【０００３】
このような組立玩具では、組立玩具どうしの接続の際に、円柱形のマグネットが軸回りに回転して、マグネットの磁極の位置が自動変換される。そのため、接続端の突合わせ確認作業を行う必要がなく、構造本体部を相互に任意の角度で組付けることができる。したがって、このような組立玩具によれば、所望の平面形状及び立体形状の構造体を容易に形成することができる。
【先行技術文献】
【特許文献】
【０００４】
【特許文献１】特許第３８２２０６２号公報
【発明の概要】
【発明が解決しようとする課題】
【０００５】
しかしながら、組立玩具どうしを組み付ける際に、構造本体部の内部に収容された円柱形のマグネットが軸回りに回転すると、収容筒の内壁面とマグネットの側面とが互いに接触して摩擦が生じる場合がある。このような摩擦が生じると、マグネットの軸回りの円滑な回転が阻害されるので、マグネットの磁極の自動変換が速やかに行われず、組立玩具どうしの接続をスムーズに行うことができないといった問題が生じる。
【０００６】
以上のような事情に鑑み、本発明は、マグネットが軸回りに回転する際に、構造本体部の収容筒の内壁面とマグネットの側面とが互いに接触する場合であっても、両面間に生じる摩擦面を低減させ、マグネットの円滑な回転を確保することができる組立玩具を提供することを目的とする。
【課題を解決するための手段】
【０００７】
上記目的を達するため、本発明は、複数が組み付けられて種々の平面形状あるいは立体形状の構造体を形成することができる組立玩具であって、本体部と本体部に収容された磁石部とを有し、磁石部は、Ｎ極とＳ極とが軸回りに交互に着磁された正八角柱形状に形成され、本体部に軸回りに回転可能に収容されることを特徴とする。
【発明の効果】
【０００８】
本発明によれば、本体部の収容部に収容された磁石部が軸回りに回転する際に収容部の内壁面と磁石部の側面とが互いに接触しても、磁石部が円柱形状の場合と比較して、両面間に生じる摩擦面が低減されるので、磁石部の円滑な回転を確保し、組立玩具どうしを磁石部の磁力を介してスムーズに組み付けることができる。
【図面の簡単な説明】
【０００９】
【図１】実施形態に係る組立玩具の一例を示し、（ａ）は平面図、（ｂ）は（ａ）のＡ−Ａ線に沿った断面図である。
【図２】図１の組立玩具の要部を示し、（ａ）は側面図、（ｂ）は断面図である。
【図３】図１の組立玩具の組み付け例を示し、（ａ）は平面図、（ｂ）は（ａ）の要部断面図、（ｃ）は組み付け動作を説明するための要部断面図である。
【図４】図１の組立玩具の他の組み付け例を示し、（ａ）は平面図、（ｂ）は（ａ）の要部断面図、（ｃ）は組み付け動作を説明するための要部断面図である。
【図５】磁石部の変形例を示し、（ａ）は側面図、（ｂ）は断面図である。
【図６】組立玩具の変形例を示す平面図である。
【発明を実施するための形態】
【００１０】
実施形態に係る組立玩具１００について、図面を用いて説明する。なお、図面においては一部分を大きくまたは強調して記載するなど適宜縮尺を変更して表現している。図１は、実施形態に係る組立玩具１００の一例を示し、（ａ）は平面図、（ｂ）は（ａ）のＡ−Ａ線に沿った断面図である。組立玩具１００は、複数が組み付けられて所望の平面形状あるいは立体形状の構造体を形成することが可能となっている。図１に示すように、組立玩具１００は、本体部１０と４つの磁石部２０とを有している。
【００１１】
本体部１０は、非磁性を有しかつ軽量な材料から形成されている。本体部１０は、例えば半透明のプラスチック製であるが、これに限定されず、樹脂製、木製、あるいは発砲スチロール製などであってもよい。本体部１０は、図１（ａ）に示すように、平面視で略正方形状を有する枠状の環状体となっており、４つの本体角部１１を有している。本体部１０に囲まれた中央部分には、平面方向に対して直交する方向に本体部１０を貫通する貫通部１２が設けられている。
【００１２】
本体部１０は、このような貫通部１２を有する環状体の構成であるので、構造上の強度が確保されるとともに、板状や箱型形状の本体部と比較して軽量化が図られている。また、貫通部１２が、少なくとも指を入れることが可能な大きさに形成される場合には、貫通孔１２を用いて本体部１２を把持することができる利点も有する。本体部１０の４つの本体角部１１は、曲面状の面取りが施されている。なお、本体角部１１における面取りの形状は、曲面状に代えて円弧面状や平面状などであってもよい。また、本体角部１１において面取りは採用されなくてもよい。
【００１３】
本体部１０の平面視における略正方形状の４つの辺部１３のそれぞれの表面には、接続部１４が形成されている。接続部１４は、組立玩具１００に他の組立玩具２００が組み付けられる場合に、当該他の組立玩具２００の接続部１４と当接する部分である（図３及び図４参照）。これら４つの接続部１４は、本体部１０の平面視における外郭形状に沿って形成されており、それぞれの幅及び長さは同一に設定されている。なお、接続部１４の一部又は全部は、幅あるいは長さが異なる構成としてもよい。
【００１４】
本体部１０は、４つの収容部１５を有する。これら４つの収容部１５のそれぞれは、各辺部１３の長さ方向の中央部分の内側に設けられている。収容部１５は、接続部１４の長さ方向を軸方向とする円筒を有する略円筒形状に形成され、後述する磁石部２０を収容する収容空間を形成している。収容部１５は、磁石部２０の軸方向が接続部１４の長さ方向に対して平行となるように磁石部２０を配置させ、かつ軸回りに回転可能に磁石部２０を収容する。そのため、図１（ａ）に示すように、収容部１５の略円筒形の軸方向の距離Ｌ２は、収容部１５に収容される磁石部２０の軸方向の長さＬ１よりも若干長く形成されている。また、図１（ｂ）に示すように、収容部１５の断面の直径Ｄは、収容される磁石部２０の幅方向の最大の長さｄ１（図２（ｂ）参照）よりも若干長く形成されている。収容部１５は、全て同一の構成となっている。なお、収容部１５の一部又は全部は異なる構成としてもよい。
【００１５】
このように収容部１５が円筒を有する形状に形成されることにより、収容部１５の内部における磁石部２０の軸回り回転が容易となっている。なお、収容部１５は、接続部１４の中央部分に形成されることに限定されず、例えば接続部１４の長さ方向いっぱいに形成されてもよい。この場合、収容部１５に収容される磁石部として、上記した磁石部２０よりも軸方向に長いものを用いることができる。そのため、磁石部が備える磁力が向上し、組付玩具１００，２００どうしを組み付ける際に（図３及び図４参照）、接続部１４どうしの吸着力を向上させることができる。なお、収容部１５の形状は、円筒を有する形状に限定されず、多角形筒状を有する形状などであってもよい。
【００１６】
本体部１０の辺部１３の断面は、図１（ｂ）に示すように、左右方向を長手方向かつ上下方向を短手方向とする略長円形状に形成されている。また、接続部１４は、凸状の円弧面状に形成されている。このように接続部１４が凸状の円弧面状に形成されることにより、組付玩具１００どうしを組み付ける際に（図３及び図４参照）、接続部１４どうしを任意の角度で接続させることができる。なお、接続部１４は、円弧面状に形成されることに限定されず、単一のあるいは複数の平面状などであってもよい。
【００１７】
磁石部２０は、組立玩具１００において４つが用いられており、これら４つの磁石部２０は、本体部１０の収容部１５にそれぞれ収容されている。磁石部２０は、収容部１５において、軸方向が接続部１４に対して平行に配置され、かつ軸回りに回転可能に収容されている。
【００１８】
図２は、組立玩具１００の磁石部２０を示し、（ａ）は側面図、（ｂ）は（ａ）の磁石部２０の軸方向に対して直交する方向に沿った任意の断面図である。図２に示すように、磁石部２０は、軸方向に長さＬ１を有する棒状の正八角柱形状に形成されている。磁石部２０の側面には、軸方向に沿って形成される８つの角部２１と８つの矩形状の平面部２２とを有している。この８つの角部２１の一部又は全部については、先端部分が若干丸みを帯びた形状であってもよい。例えば、磁石部２０の製造工程において仕上げの研磨加工等により、角部分が若干丸みを帯びた形状に形成される場合があるが、このような形状についても、本発明の正八角柱形状の磁石部２０に含まれる。
【００１９】
磁石部２０の軸方向の長さＬ１は、接続部１４の長さＬ３に対して、例えば１／６〜１／８に設定される（図１（ａ）参照）。磁石部２０の軸方向の長さＬ１が接続部１４の長さＬ３に対して１／８よりも小さく設定される場合、組付玩具１００，２００どうしの組み付けあるいは組み付けた状態の保持に必要な磁力が不足するおそれがある。一方、磁石部２０の長さＬ１が接続部１４の長さＬ３に対して１／６よりも大きく設定される場合、磁石部２０の長さＬ１が必要以上の長さに形成されることにより組付玩具１００の重量化及び製造コストの増加を招くおそれがある。しかしながら、磁石部２０の長さＬ１が接続部１４の長さＬ３に対して１／６〜１／８に設定される場合には、磁石部２０の長さＬ１を極力短く形成しつつ、組付玩具１００等どうしの組み付け及び組み付けた状態の保持に必要な磁力を確保することができるので、磁石部２０の長さＬ１と磁力の強度とのバランスが最適化される。
【００２０】
磁石部２０は、磁力を備えた部材から形成される。磁石部２０としては、例えばネオジウム磁石、フェライト磁石、サマリウムコバルト磁石、あるいはアルニコ磁石などが用いられる。なお、これらの主な磁石の中で、ネオジウム磁石は、比較的強い磁力を着磁させることが可能であり、かつ安価であるという利点がある。したがって、磁石部２０としては、ネオジウム磁石が採用されることが好ましい。
【００２１】
磁石部２０は、Ｎ極とＳ極との２極が磁石部２０の軸方向に対して直交する方向に着磁されている。図２（ｂ）に示すように、磁石部２０の軸方向に対して直交する方向に沿った断面は正八角形となっている。磁石部２０のＮ極とＳ極との境界部２３は、例えば図２（ｂ）に示すように、磁石部２０の断面において上記正八角形の中心部分Ｏを通りかつ角部２１どうしを結ぶ直線状に形成される。磁石部２０は、このように２極が磁石部２０の軸方向に対して直交する方向に着磁された構成に限定されず、例えばＮ極及びＳ極が軸回りに交互に計４極以上が形成された構成としてもよい。なお、磁石部２０のように軸回りに計２極着磁された構成の場合、軸回りに計４極以上が形成される場合と比較して、Ｎ極及びＳ極の表面領域のそれぞれが一層広く形成されることにより、磁石部２０相互に生じる吸引力を最大化することができる。
【００２２】
組立玩具１００が有する４つの磁石部２０は、全て同一の構成である。なお、これら４つの磁石部２０一部又は全部は、異なる構成としてもよい。また、磁石部２０の軸方向に対して直交する方向に沿った断面は形状及び大きさが同一となっているが、これに限定されず、例えば磁石部２０の断面の大きさが軸方向に沿って変化する形状であってもよい。なお、上記した磁石部２０の変形事項については、後述する変形例に係る磁石部３２０についても適用が可能である。
【００２３】
以上説明したように、実施形態に係る磁石部２０は正八角柱形状に形成されている。ただし、組立玩具１００において採用可能な磁石部は、正八角柱以外の形状のものであってもよい。組立玩具１００において採用可能な磁石部の形状としては、例えば、正八角柱形状ではない八角柱形状でもよいし、八角柱以外の多角柱の形状であってもよく、例えば、五角柱、六角柱、七角柱、あるいは十角柱などの形状であってもよい。また、磁石部の形状は、角柱以外の形状であってもよく、例えば、角柱形状以外の軸を有する棒形状であってもよい。これら正八角柱以外の形状の磁石部についても、正八角柱形状の磁石部２０の構成と同様に、Ｎ極とＳ極との２極が磁石部の軸方向に対して直交する方向に着磁され、収容部１５に軸回りに回転可能に収容されてもよい。また、これらの正八角柱以外の形状の磁石部２０については、軸方向に対して直交する方向に沿った断面の大きさあるいは形状が軸方向に沿って変化する形状であってもよい。さらに、組立玩具１００に採用可能な磁石部としては、曲線状に湾曲した棒形状などの軸を有しない形状のものであってもよい。
【００２４】
次に、組立玩具１００が他の組立玩具２００に対して組み付けられる場合の組み付け例について、図面を用いて説明する。図３は、組立玩具１００が他の組立玩具２００に対して組み付けられる場合の組み付け例を示し、（ａ）は平面図、（ｂ）は（ａ）の要部断面図、（ｃ）は組み付け動作を説明するための要部断面図である。図４は、組立玩具１００が他の組立玩具２００に対して組み付けられる場合の他の組み付け例を示し、（ａ）は平面図、（ｂ）は（ａ）の要部断面図、（ｃ）は組み付け動作を説明するための要部断面図である。
【００２５】
まず、組立玩具１００が他の組立玩具２００と平面状に組み付けられ、組立玩具１００が他の組立玩具２００とともに平面状の構造体を形成する場合について説明する。なお、他の組立玩具２００については、組立玩具１００と同様の構成であり、組立玩具１００と同一構成の部分については同一符号を付して説明を簡略化あるいは省略する。なお、他の組立玩具２００は、組立玩具１００と異なる構成としてもよく、例えば後述する変形例に係る組立玩具４００等の構成などであってもよい。なお、他の組立玩具２００が有する磁石部２２０については、上記した磁石部２０と同一の構成である。ただし、他の組立玩具２００の磁石部２２０は、上記した磁石部２０と異なる構成であってもよい。
【００２６】
図３（ａ）に示すように、組立玩具１００と他の組立玩具２００とが平面状に組み付けられた状態では、組立玩具１００の接続部１４ａと組立玩具２００接続部１４ｂとは互いに対向して配置されている。この状態で、組立玩具１００と他の組立玩具２００とは、組立玩具１００の磁石部２０のＮ極部分と、組立玩具２００の磁石部２２０のＳ極部分とが備える吸引力Ｆ（図３（ｃ）参照）の作用により互いに引き付け合った状態となっている。この吸引力Ｆの作用により、組立玩具１００と組立玩具２００とが平面状（側面視で直線状）に接続された状態で保持されている。
【００２７】
このように組立玩具１００，２００どうしが平面状に組み付けられた状態では、図３（ｂ）に示すように、接続部１４ａ，１４ｂの断面の円弧の頂点部分１４ｃどうしが互いに当接する。また、組立玩具１００の磁石部２０と他の組立玩具２００の磁石部２２０とは、相互に作用する吸引力Ｆの方向から見て境界部２３から最も離間した角部２１ａと角部２１ｂとが重なる配置で、接続部１４ａ，１４ｂを介して互いに引き付け合っている。
【００２８】
図３（ｃ）には、組立玩具１００，２００どうしが平面状に組み付けられる場合において、接続部１４ａと接続部１４ｂとが接続される際の組立玩具１００，２００の動きの一例を示している。組立玩具１００，２００どうしを相互に接近させると、磁石部２０，２２０の磁力が相互に作用し、図３（ｃ）に示すように、磁石部２０，２２０がそれぞれ軸回りに回転して、磁石部２０のＮ極と磁石部２２０のＳ極とが、あるいは磁石部２０のＳ極と磁石部２２０のＮ極とが、互いに対向する。なお、図３（ｂ）、（ｃ）においては、磁石部２０のＮ極と磁石部２２０のＳ極とが対向した状態を示している。さらに、磁石部２０，２２０どうしの磁力の作用により、磁石部２０と磁石部２２０とが相互に接近する方向に吸引力Ｆが作用する。この吸引力Ｆにより、接続部１４ａと接続部１４ｂとが互いに引き寄せられて接着し、さらに接着状態が保持される。
【００２９】
続いて、組立玩具１００と組立玩具２００とが立体状に組み付けられる場合の一例について説明する。図４（ａ）に示すように、組立玩具１００と他の組立玩具２００とが側面視においてＬ字状に組み付けられた状態では、組立玩具１００の接続部１４ａと組立玩具２００の接続部１４とは互いに対向して配置されている。この状態で、組立玩具１００と他の組立玩具２００とは、組立玩具１００の磁石部２０のＮ極部分と、他の組立玩具２００の磁石部２２０のＳ極部分とが備える吸引力Ｆ（図４（ｃ）参照）の作用により互いに引き付け合った状態となっている。この吸引力Ｆにより、組立玩具１００と組立玩具２００とが側面視でＬ字状に組み付けられた状態で保持されている。
【００３０】
このように組立玩具１００，２００どうしが側面視でＬ字状に接続された状態では、図４（ｂ）に示すように、接続部１４ａ，１４ｂどうしは、接続部１４ａ，１４ｂの断面の円弧の頂点部分１４ｃとは異なる部分が互いに当接している。また、組立玩具１００の磁石部２０と他の組立玩具２００の磁石部２２０とは、相互に作用する吸引力Ｆの方向から見て境界部２３から最も離間した位置の角部２１ａと角部２１ｂとが重なる配置で、接続部１４ａ，１４ｂを介して互いに引き付け合っている。
【００３１】
図４（ｃ）には、組立玩具１００，２００どうしが側面視Ｌ字状で組み付けられる場合において、接続部１４ａと接続部１４ｂとが相互に接続する際の組立玩具１００，２００の動きの一例を示している。組立玩具１００，２００どうしが平面状に組み付けられる場合と同様に、組立玩具１００，２００どうしを相互に接近させると、磁石部２０，２２０の磁力が相互に作用し、図４（ｃ）に示すように、磁石部２０，２２０がそれぞれ軸回りに回転して、磁石部２０のＮ極と磁石部２２０のＳ極とが、あるいは磁石部２０のＳ極と磁石部２２０のＮ極とが、互いに対向する。なお、図４（ｂ）、（ｃ）においては、磁石部２０のＮ極と磁石部２２０のＳ極とが対向した状態を示している。さらに、磁石部２０，２２０どうしの磁力の作用により、磁石部２０と磁石部２２０とが相互に接近する方向に吸引力Ｆが作用する。この吸引力Ｆにより、接続部１４ａと接続部１４ｂとが互いに引き寄せられて接着し、さらに接着状態が保持される。
【００３２】
また、図３に示すように平面状に組み付けられた組立玩具１００等どうしについて、互いの接続を維持しつつ、組み付け状態を平面状から図４に示す立体状へ変更することも可能である。即ち、平面状に組み付けられた組立玩具１００等どうしを、側面視において直線状から折れ線状となるように変形させることも可能であり、例えば、図３（ａ）に示す側面視で直線状に接続された状態から図４（ａ）に示す側面視でＬ字状に接続された状態へ互いの接続を保ちつつ変形させることもできる。この場合、組立玩具１００等どうしは、互いに接続部１４ａ，１４ｂが当接した状態で、組立玩具１００等の一方を他方に対して相対的に動かすことにより、所望の角度に形成される。このように、組立玩具１００と組立玩具２００とを立体状に組み付ける場合には、まず、組立玩具１００等どうしを平面状に組み付け、次いで、接続の状態を維持した状態で接続角度を変更することで所望の立体形状に組み付けることも可能である。一方、その逆も可能であり、図４に示す平面状に組み付けられた組立玩具１００等どうしを、互いの接続を保ちつつ組み付け状態を立体状から平面状へ変更することも可能である。また、組み付けられた組立玩具１００等を相対的に動かすことにより相互の接続を保ちつつ組立玩具１００等どうしの組み付け角度の変更や調整を行うことも可能である。
【００３３】
磁石部２０，２２０は、それぞれ軸回りに回転可能に収容部１５に収容されており、組立玩具１００，２００どうしが組み付けられる際には、収容部１５に対して相対的にかつ軸回りに回転する。このような磁石部２０等の回転により、収容部１５の内壁面１５ａと磁石部２０，２２０の側面とが接触して摩擦が生じる場合があるが、収容部１５の内壁面１５ａには磁石部２０等の角部２１（図２（ｂ）参照）の先端部分が当接するので、磁石部が円柱形状のマグネットの場合と比較して、互いに当接する部分の面積、即ち摩擦面が縮小することとなる。したがって、収容部１５の内部で磁石部２０等が軸回りに回転しても、収容部１５の内壁面１５ａと磁石部２０等の側面との両面間で生じる摩擦が低減されるので、磁石部２０等の円滑な回転が確保される。
【００３４】
また、磁石部２０等は正多角形状であり軸対称の形状となっているので、磁石部２０が軸回りに回転する際の軸のブレが抑制される。さらに、磁石部２０は八角柱形状であることから、七角柱や、六角柱、五角柱などの七角以下の角柱の形状の磁石部と比較すると、磁石部２０の側面には、収容部１５の内壁面１５ａに当接可能な角部を多数有するので、磁石部２０が内壁面１５ａに沿って転がるように回転することが容易となっている。一方、九角柱や、十角柱、十一角柱などの九角以上の角柱の形状の磁石部と比較すると、八角柱形状の磁石部２０では、側面に形成される角部２１の数が少ないので、製造が容易となる。したがって、このような八角柱形状の磁石部２０によれば、角部２１を多数有することに起因する上記効果を有しつつ、磁石部２０の製造コストの増加を低減することができる。
【００３５】
以上説明した組立玩具１００によれば、磁石部２０が正八角柱形状であることにより、収容部１５に収容された状態の磁石部２０を円滑に軸回り回転させることができ、これにより、組立玩具１００どうしの接続をスムーズに行うことができる。
【００３６】
以上、組立玩具１００の他の組立玩具２００との組み付けの形態について説明したが、組立玩具１００の組み付けの形態は、上記した態様に限定されるものではない。例えば、組立玩具１００に対して２つ乃至４つの他の組立玩具２００が、接続部１４どうしの接続により、同時に組み付けられてもよい。また、組立玩具１００，２００どうしの組み付けは、互いが側面視で図３（ａ）に示す直線状あるいは図４（ａ）に示すＬ字状で接続されることに限定されず、組立玩具１００等どうしを所望の角度で組み付けることも可能である。この場合、相対する磁石部２０，２２０のＳ極とＮ極とが対向するように、磁石部２０，２２０が回転し、組立玩具１００と組立玩具２００とが所望の角度で接着し、当該所望の角度の状態で保持される。
【００３７】
続いて、変形例について、図面を用いて説明する。以下の説明において、上記した実施形態と同一または同等の構成部分については同一符号を付けて説明を省略または簡略化する。図５は、第１変形例に係る磁石部３２０を示し、（ａ）は側面図、（ｂ）は断面図である。図６は、組立玩具の変形例を示し、（ａ）は第２変形例に係る組立玩具４００の平面図、（ｂ）は第３変形例に係る組立玩具５００の平面図である。
【００３８】
図５に示すように、磁石部３２０は、上記した磁石部２０と同一の外形に形成されており、正八角柱形状となっている。この正八角柱形状の磁石部３２０のＮ極とＳ極との境界部２３は、図５（ｂ）に示すように、磁石部３２０の軸方向に対して直交する方向に沿った断面において、正八角形の中心部分Ｏを通りかつ平面部２２，２２の中央部分どうしを結ぶように形成されている。このような磁石部３２０が組立玩具１００に採用された場合の作用及び効果については上記した磁石部２０の場合とほぼ同様である。磁石部３２０を有する組立玩具どうしが組み付けられると、磁石部３２０のそれぞれは、磁極の境界部２３から最も離間しかつ境界部２３に対して平行に形成された平面部２２ａ，２２ｂが互いに対向する配置となる。
【００３９】
図６（ａ）に示すように、組立玩具４００は、３つの磁石部２０と本体部４１０とを有している。本体部４１０は、平面視において三角形の枠状に形成された環状体の構成となっており、それぞれ３つの接続部１４と本体角部１１とを有している。また、本体部４１０の各接続部１４の中央部分の内側には、収容部１５が設けられている。磁石部２０は、それぞれ収容部１５に収容されている。
【００４０】
図６（ｂ）に示すように、組立玩具５００は、５つの磁石部２０と本体部５１０とを有している。本体部５１０は、平面視において五角形の枠状に形成された環状体の構成となっており、それぞれ５つの接続部１４と本体角部１１とを有している。また、本体部５１０の各接続部１４の中央部分の内側には、収容部１５が設けられている。磁石部２０は、それぞれ収容部１５に収容されている。以上説明した組立玩具４００，５００の他の組立玩具との組み付け時の動作、並びに組立玩具４００，５００の作用及び効果については、上記した組立玩具１００と同様である。
【００４１】
以上、本発明の実施形態に係る組立玩具１００の変形例として、平面視で三角形あるいは五角形の枠状の環状体の本体部４１０，５１０を有する構成について説明したが、本発明の組立玩具の本体部は、平面視で六角形、七角形、八角形などの六角形以上の角形の枠状の環状体の構成としてもよい。また、本発明の組立玩具の本体部は、平面視で枠状の環状体の構成に限定されず、板形状や箱型形状としてもよく、公知の種々のブロック形状であってもよい。
【００４２】
以上説明した組立玩具１００等を複数用意し、これらを適宜組み付けることにより、所望の平面形状及び立体形状の構造体を形成することができる。また、組立玩具１００等の本体部１０は、平面視において幼児や子供の手のひら程度の大きさ（接続部１４の長さＬ３が例えば５０ｍｍ程度）に形成されてもよく、貫通部１２は、幼児や子供の指が入る大きさに形成されてもよい。この場合、組立玩具１００等どうしを組み付けて立体形状の構造体を形成する際には、以下の手順で組み付けることもできる。まず、複数の組立玩具１００等を、形成される立体形状の展開図に相当する平面形状に組み付ける。次いで、当該展開図の形状の中心部分に配置された組立玩具１００等を上方に持ち上げる。すると、磁石部２０等の磁力が作用して組立玩具１００等どうしが自動的に組み付けられて立体形状が形成される。この手順において組立玩具１００等を持ち上げる際には、組立玩具１００等の貫通部１２に指を通した状態で辺部１３を指で挟むことにより組立玩具１００等を容易かつ確実に把持することができるので、大人に比べて把持力が弱い幼児や子供であっても組立玩具１００等を容易かつ確実に把持して持ち上げることができる。このように、本体部１０が上記形状に形成される場合、組立玩具１００等は、幼児や子供用の知育玩具として特に有用である。
【００４３】
以上、本発明の実施形態及び変形例について説明したが、本発明は、上記した説明に限定されるものではなく、本発明の要旨を逸脱しない範囲において種々の変更が可能である。例えば、上記実施形態の構成の一部は省略されてもよく、上記した実施形態の構成の一部と変形例の構成の一部又は全部とを、置き換えてもよく組み合わせてもよい。例えば、第２変形例に係る組立玩具４００において第１変形例に係る磁石部３２０を適用してもよい。また、上記した実施形態及び変形例に係る組立玩具１００〜４００では、磁石部２０，２２０，３２０及び収容部１５は、全ての接続部１４に設けられているが、少なくとも１つの接続部１４に設けられていればよい。また、収容部１５及び磁石部２０，２２０は、各辺部１３において１つずつが設けられているが、辺部１３において複数が設けられてもよい。
【符号の説明】
【００４４】
１０，２１０，４１０，５１０…本体部
２０，２２０，３２０…磁石部
１００，２００，３００，４００…組立玩具
【図１】
2016214533.tif 000003
【図２】
2016214533.tif 000004
【図３】
2016214533.tif 000005
【図４】
2016214533.tif 000006
【図５】
2016214533.tif 000007
【図６】
2016214533.tif 000008